(57)【要約】【課題】ハウジングに嵌合させるときに嵌合代を低くして、嵌合荷重を低減することができるオイルシール、および、油中の鉄粉等の異物を吸着でき、主リップへの異物の影響を低減することができるオイルシールを提供する。【解決手段】互いに相対可動自在な２部材のうちのいずれか一の部材である軸１と同心に配設された他の部材であるハウジング２に固定密封部４を介して環状部材３が嵌合しているオイルシール１０において、磁性を有するゴム状弾性体からなる固定密封部４を環状部材３に加硫成形により結合させた。【選択図】図１
2006083974.tif 000002
【特許請求の範囲】
【請求項１】
互いに相対可動自在な２部材のうちのいずれか一の部材と同心に配設された他の部材に固定密封部を介して環状部材が嵌合しているオイルシールにおいて、
前記固定密封部が磁性を有するゴム状弾性体からなることを特徴とするオイルシール。
【発明の詳細な説明】
【技術分野】
【０００１】
本発明は、オイルシールに係り、更に詳しくは、環状部材が固定密封部を介して嵌合しているオイルシールに関する。
【背景技術】
【０００２】
従来、例えば下記文献に記載されている図４に示すオイルシール１０１が知られている。このオイルシール１０１は、断面Ｌ字状の環状部材１０２と、環状部材１０２を被覆するように加硫接着されているゴム状弾性体からなるシール本体部１０３とから構成されている。シール本体部１０３は、環状部材１０２を覆っている固定密封部１０４と、環状部材１０２の内径側で先端部に主リップ１０５と主リップ１０５より大気側Ａに位置するダストリップ１０６を有するシールリップ部１０７から構成されていて、主リップ１０５のリップエッジの反対側である外径側にはガータスプリング１０８を装着するための凹部１０９が設けられている。
【０００３】
前記オイルシール１０１は、環状部材１０２の外径側に位置するハウジング１１１と、環状部材１０２の内径側であってハウジング１１１と同心である軸１１２との間に配設され、ハウジング１１１に対しては、固定密封部１０４を介して環状部材１０２が嵌合し、軸１１２に対しては、主リップ１０５およびダストリップ１０６が密接に摺動するように取り付けられている。そして、主リップ１０５のリップエッジの反対側に形成されている凹部１０９に装着されたガータスプリング１０８が軸１１２の径方向の移動に対して主リップ１０５が追随するように押圧している。
【０００４】
しかしながら、上記構成においてハウジング１１１にオイルシール１０１を嵌合させる場合、オイルシール１０１の嵌合面にはシール抜け防止および外周密着性を目的に嵌合代を持たせているため、嵌合時に嵌合荷重が高くなるという問題点を有していた。また、環状部材１０２を覆っている固定密封部１０４を形成している弾性体は、磁性を有しないゴム状弾性体であるので、油内の鉄粉等の異物を除去することができないとの問題点を有していた。なお、シールリップ部１０７を形成している弾性体に磁性を持たせたものもあるが、シール面付近に異物が吸着してシール性に影響を与えるとの問題点があり、シール内に設ける場合には、ガータスプリング１０８に目詰まりを起こさせるおそれがあった。
【０００５】
【特許文献１】特開２０００−１６１４９８号公報
【発明の開示】
【発明が解決しようとする課題】
【０００６】
本発明は以上の点に鑑みて、ハウジングに嵌合させるときに嵌合代を低くして、嵌合荷重を低減することができるオイルシール、および、油中の鉄粉等の異物を吸着でき、主リップへの異物の影響を低減することができるオイルシールを提供することを目的とする。
【課題を解決するための手段】
【０００７】
上記目的を達成するため、本発明の請求項１にかかるオイルシールは、
互いに相対可動自在な２部材のうちのいずれか一の部材と同心に配設された他の部材に固定密封部を介して環状部材が嵌合しているオイルシールにおいて、
前記固定密封部が磁性を有するゴム状弾性体からなることを特徴とするものである。
【発明の効果】
【０００８】
本発明は、以下の効果を奏する。
【０００９】
すなわち、上記構成を備えた本発明のオイルシールにおいては、
オイルシールをハウジングに嵌合するときに低い嵌合代で嵌合することができるので、オイルシールの嵌合がやり易くなり、オイルシールの交換も容易となる。また、油中の鉄粉等の異物を吸着除去し、油を浄化する作用があるので、オイルシールの寿命を向上することができる。
【発明を実施するための最良の形態】
【００１０】
以下に図面を参照して、この発明の好適な実施の形態を例示して説明する。ただし、この発明の範囲は、特に限定的記載がないかぎりは、この実施の形態に記載されている内容に限定する趣旨のものではない。
【００１１】
第１実施例・・・
図１は、本発明の第１実施例に係るオイルシール１０の要部断面を示しており、以下のように構成されている。
【００１２】
このオイルシール１０は、互いに同心的に相対可動自在に設けられる２部材のうちの一の部材としての軸１と、他の部材としてのハウジング２間の環状隙間を密封するものであり、ハウジング２に嵌合している環状部材３と、ハウジング２と環状部材３が嵌合している間に介在している固定密封部４と、環状部材３の内径側に加硫接着されているシールリップ部５と、シールリップ部５のうちの主リップ６に装着されているガータスプリング８と、を備えている。
【００１３】
環状部材３は、多段に折れ曲がった形状をなす非磁性材により構成され、径方向に延び密封流体側Ｂが後述する固定密封部４と加硫接着により結合している第１フランジ部３ａと、第１フランジ部３ａの内径端部から密封流体側Ｂに延びハウジング２と嵌合している第１円筒部３ｂと、第１円筒部３ｂの密封流体側Ｂから内径方向に延びる第２フランジ部３ｃと、第２フランジ部３ｃの内径端部から大気側Ａに延びる第２円筒部３ｄと、第２円筒部３ｄの大気側端部から内径方向に延びる第３フランジ部３ｅとから構成されている。
【００１４】
シールリップ部５は、非磁性体のゴム状弾性体で形成されており、密封流体側Ｂに位置し密封対象である油が大気側に流出するのを防止するとともに大気側よりの異物を油に混入するのを防止する機能を有する主リップ６と、先端を大気側に向け主にダスト等の大気中の異物が流入するのを防止する機能を有するダストリップ７とから構成されている。主リップ６のリップエッジの外径側に形成された凹部９にはガータスプリング８が装着されていて、軸１の径方向の変動に対して主リップ６が追随するように押圧している。
【００１５】
固定密封部４は、磁性を有するゴム状弾性体により一体成形で形成されており、環状部材３の第１フランジ部３ａの密封対象側Ｂに位置する外部側部４１と、第一円筒部３ｂの外径側に位置しハウジング２と外径面４２ａで嵌合する外径側部４２と、第２フランジ部の密封対象側Ｂに位置する外部側部４３とを有し、環状部材３に加硫成形により結合している。
【００１６】
上記構成のオイルシール１０を軸１とハウジング２との間の環状隙間に嵌合させるときに、ハウジング２と嵌合する環状部材３の第１円筒部３ｂの外径側に磁性を有する固定密封部４を形成する外径側部４２が加硫接着しているので、固定密封部４を形成する外径側部４２の磁力でハウジン２に嵌合させることが可能となり、シール抜け防止および外周密封性等の性能を維持したまま嵌合代をなくすか若しくは低減することが可能となり、嵌合荷重を低減すること可能となる。
【００１７】
また、第２フランジ部３ｃの密封流体側Ｂに磁性を有する固定密封部４を形成する外部側部４３が加硫接着しているので、油内の鉄粉等の異物を掻き集め、油を浄化することができるので、オイルシール１０の耐久性を向上することができる。さらに、ハウジング２の材質が磁気を帯びる材質である場合には、ハウジング２を磁化することができ、ハウジング２の内径部の端面で油内の異物の吸着が可能となり、吸着量を増加することが可能となる。
【００１８】
第２実施例・・・
図２は、本発明の第２実施例に係るオイルシール１０の要部断面を示しており、第１実施例に対して環状部材３および固定密封部４の形状を変更したものである。なお、図２において図１に示す構成と同様な構成部分については、同一の符号を付している。
【００１９】
図２に示す環状部材３は、径方向に延びる第１フランジ部３ｆと、第１フランジ部３ｆの内径端部から密封対象側に向かって斜行する斜行部３ｇと、斜行部３ｇの内径端部から内径方向に延びる第２フランジ部３ｈと、から構成されていて、第１フランジ部３ｆの密封流体側Ｂに固定密封部４を構成する外部側部４４が加硫接着により結合している。
【００２０】
第２実施例におけるオイルシール１０においては、固定密封部４を構成する外部側部４４の外径側端面４４ａが磁力によりハウジングと嵌合し、環状部材３を構成する第１フランジ部３ｆの外径側端面３ｍがハウジング２と嵌合しているので、より軽度な嵌合でハウジング２に嵌合させることが可能となる。
【００２１】
第３実施例・・・
図３は、本発明の第３実施例に係るオイルシール１０の要部断面を示しており、第１実施例に対して環状部材３および固定密封部４の形状を変更したものである。なお、図３において図１に示す構成と同様な構成部分については、同一の符号を付している。
【００２２】
図３に示す環状部材３は、軸方向に延びる第１円筒部３ｉと、第１円筒部３ｉの密封対象側Ｂ端部から内径方向に延びる第１フランジ部３ｋとから構成された略Ｌ字形状をしていて、第１フランジ部３ｋの密封流体側に固定密封部４を構成する外部側部４５が加硫接着により結合している。
【００２３】
第３実施例におけるオイルシールにおいては、固定密封部４を構成する外部側部４５の外径側端面４５ａが磁力によりハウジング２と嵌合し，環状部材３の第１円筒部がハウジング２と嵌合しているので、嵌合荷重を低減すること可能となる。
【図面の簡単な説明】
【００２４】
【図１】本発明の第１実施に係るオイルシールの一部断面図
【図２】本発明の第２実施に係るオイルシールの一部断面図
【図３】本発明の第３実施に係るオイルシールの一部断面図
【図４】従来例に係るオイルシールの一部断面図
【符号の説明】
【００２５】
１  軸（一の部材）
２  ハウジング（他の部材）
３  環状部材
４  固定密封部
５  シールリップ部
６  主リップ
７  ダストリップ
８  ガータスプリング
９  凹部
１０  オイルシール
３ａ，３ｃ，３ｅ，３ｆ，３ｈ，３ｋ  フランジ部
３ｂ，３ｄ，３ｉ  円筒部
３ｇ  斜行部
４１，４３，４４，４５  外部側部
４２  外径側部
Ａ  大気側
Ｂ  密封流体側
【図１】
2006083974.tif 000003
【図２】
2006083974.tif 000004
【図３】
2006083974.tif 000005
【図４】
2006083974.tif 000006